(57)【特許請求の範囲】
【請求項１】
バイオタイル有効利用方法において、植物由来分解性ポリ乳酸バイオプラスチックでメッシュフェンス等に懸架して有効利用できるように所定の大きさに射出成形等で空洞形に形成させ、外部に露出する表裏両面を無数の凹凸状に成形したシボ加工を施すか、水で練ったセメント及び砂又はセラミック等を適当量吹付けて乾燥させ、蔦蔓の気根が吸着して匍匐しやすいように粗面加工したバイオタイルと、前記タイルが容易に懸架できるようにした所定の大きさの金属製のメッシュフェンスを夫々別設し、前記バイオタイルを前記メッシュフェンスの横桟に懸架させることによって蔦蔓の気根の吸着を容易にさせるためと、従来不可能であったメッシュフェンスへの常緑蔦誘引匍匐を可能にすると共に、経年劣化作用によって土塊瘤となったバイオタイルを除去した個所に体系的に新たなバイオタイルの懸架によって枝分れや誘引を促し、多面的に蔦蔓を誘引繁茂させ、外柵物の緑化環境創造材として利用できるようにしたことを特長としたバイオタイル有効利用方法。
【請求項２】
バイオタイルの外柵物の瞬時緑化方法において、正面部に蔦類の植栽を行い、天端部に雨水や灌水ができるような開口部を設けた正方形の所定の大きさのプラスチック製のプランターを別設し、メッシュフェンスの背面に取付けて、バイオタイルの表面および裏面部に蔦蔓を誘引吸着させて匍匐させる作業工程を屋内の育成農場で行い、屋外に設置された既存フェンス等に取付けることによって瞬時に外柵物の緑化が形成できることと、直植え不可能な場所での緑化環境創造が実現できることを特長とした請求項１に記載のバイオタイル有効利用方法。
【請求項３】
バイオタイルの脱落防止機能併設において、バイオタイルの懸架部を、いたずらや大風等で容易に脱落しないようにするために、バイオタイル着脱開口部の背面空洞部に突起させて脱落防止機能を施し、指でバイオタイル開閉挿入部を押えてメッシュフェンス横桟に懸架後、指を離せばバイオタイルがメッシュに固定されるようにしたことを特長とした請求項１に記載のバイオタイル有効利用方法。
【請求項４】
バイオタイルの外壁面有効利用において、バイオタイル裏面懸架部に接着剤やモルタル等を塗布して、外装タイル壁面やコンクリート擁壁面等に接着させて使用することによってイメージどうりに匍匐しにくかった蔦蔓の気根を吸着させて誘引繁茂させ、外壁面の緑化環境創造材として利用できるようにした請求項１又は３に記載のバイオタイル有効利用方法。
【請求項５】
バイオタイルの経年劣化後の最終利用方法において、形成懸架や接着で使用してバイオタイルに蔦蔓を誘引繁茂させ、宿り木の役割を担わせて屋外の緑化環境創造材として利用する期間において、前記バイオタイルの経年劣化現象が発生したときは地上に落下することなく、メッシュフェンスに懸架した状態でバイオタイル劣化体全体が蔦類等の枯葉屑、気根屑等と夫々に絡み合って土塊瘤を形成してこびりついた前記バイオタイルの残渣微生物含有の土塊瘤を蔓茎から取り除き、土中に埋めて匍匐植物の育成を助ける役割を担わせて環境に全く負荷を与えずに土中で自然に分解した土とさせ、土の肥料として利用できるようにしたことを特長とした請求項１又は４に記載のバイオタイル有効利用方法。
【発明の詳細な説明】
【技術分野】
【０００１】本発明は、バイオタイル有効利用方法の分野に関するものである。
【背景技術】
【０００２】本発明で使用のポリ乳酸生分解性プラスチックは、トウモロコシやジャガイモ等からとれる澱粉や、サトウキビからとれるしょう糖から得られるポリ乳酸を原料とした植物由来のバイオプラスチックで、屋外の高温・高湿度の環境下で劣化し、土中に埋めるとリパーゼ等の分解菌微生物の働きで原形を失い、最終的に水と二酸化炭素に分解される性質をもっている。【０００３】主な成分には、ポリ乳酸のほかポリカプロラクトン、ポリヒドロキシアルカノエート、ポリグリコール酸、変性ポリビニルアルコール、変性澱粉などがある。【０００４】主な用途には、フィルムやシートを利用したゴミ袋やコンポストバック、容器類、ペットボトル、コップ、スプーン、ホーク、エンジニアリングプラスチック、土のうや苗用ポット、ゴルフティー、エアガン用弾丸などがあるが、屋外用常設製品は未開発で公開特許公報は開示されていない。【０００５】また、バイオプラスチックには前記した完全生分解性プラスチックのほかに、生分解性原料と通常のプラスチックとを混合した部分生分解性プラスチックの二種類がある。【０００６】しかし、後者の部分生分解性プラスチックは完全に分解されず、分解後は微細な通常プラスチック粉末が残渣する欠点がある。【０００７】然るに、本発明のバイオタイルの原材料には、分解後において環境への影響を全く及ぼさない前者の完全生分解性プラスチックを使用している。
【発明の概要】
【発明が解決しようとする課題】
【０００８】本発明は、焼却廃棄処分によって地球温暖化の要因になる通常プラスチックを用いず、早期に劣化するポリ乳酸分解性バイオプラスチックを、敢えて屋外の苛酷の条件下で使用してデメリットをメリットに変える成果を得る逆手発想によってバイオタイルを製造し、緑化利用した劣化後の最終処分を直接土中に埋めたり廃棄したりせずに、金属製のメッシュフェンス等に懸架及び壁面に接着したやどり木の状態で、経年劣化後に発生の微生物含有土塊瘤を除去して土の肥料として利用し、蔓性匍匐植物及び原料植物の育成を助ける役割を担わせて、最終的には無害の水と二酸化炭素に分解させる循環サイクルで、環境に全く負荷を与えずにフェンス等の利用による緑化環境創造材としての有効利用を提供することを目的としたものである。
【課題を解決するための手段】
【０００９】上記課題を解決するための手段として、請求項１記載の発明は、植物由来のポリ乳酸バイオプラスチックでメッシュフェンス等に懸架して使用できるように所定の大きさに射出成形等で空洞形に形成させ、外部に露出する表裏両面を無数の凹凸状に成形したシボ加工を施すか、水で練ったセメント及び砂又はセラミック等を適当量吹付けて乾燥させ、蔦蔓の気根が吸着して匍匐しやすいように粗面加工したバイオタイルと、前記タイルが容易に懸架できるようにした所定の大きさの金属製のメッシュフェンスを夫々別設し、前記バイオタイルを前記メッシュフェンスの横桟に懸架させることによって蔦蔓の気根の吸着を容易にさせるためと、従来不可能であったメッシュフェンスへの常緑蔦誘引匍匐を可能にすると共に、経年劣化作用によって土塊瘤となったバイオタイルを除去した個所に体系的に新たなバイオタイルの懸架によって枝分れや誘引を促し、多面的に蔦蔓を誘引繁茂させ、外柵物の緑化環境創造材として利用できるようにしたことを特長とするバイオタイル有効利用方法である。【００１０】上記課題を解決するための手段として請求項２記載の発明は、正面部に蔦類の植栽を行い、天端部に雨水や灌水ができるような開口部を設けた正方形の所定の大きさのプラスチック製のプランターを別設し、前記請求項１において使用のメッシュフェンスの背面に取付けて、前記請求項１において使用のバイオタイルの表面および裏面部に蔦蔓を誘引吸着させて匍匐させる作業工程を屋内の育成農場で行い、屋外に設置された既存フェンス等に取付けることによって瞬時に外柵物の緑化が形成できることと、直植え不可能な場所での緑化環境創造が実現できることを特長とするバイオタイル有効利用方法である。【００１１】上記課題を解決するための手段として請求項３記載の発明は、前記請求項１において射出成形するバイオタイルの懸架部を、いたずらや大風等で容易に脱落しないようにするために、バイオタイル着脱開口部の背面空洞部に突起させて脱落防止機能を施し、指でバイオタイル開閉挿入部を押えてメッシュフェンス横桟に懸架後、指を離せばバイオタイルがメッシュに固定されるようにしたことを特長とするバイオタイル有効利用方法である。【００１２】上記課題を解決するための手段として請求項４記載の発明は、請求項１および３において形成懸架使用するバイオタイル裏面懸架部に接着剤やモルタル等を塗布して、外装タイル壁面やコンクリート擁壁面等に接着させて使用することによってイメージどうりに匍匐しにくかった蔦蔓の気根を吸着させて誘引繁茂させ、外壁面の緑化環境創造材として利用できるようにしたことを特長とするバイオタイル有効利用方法である。【００１３】上記課題を解決するための手段として請求項５記載の発明は、請求項１および４において形成及び懸架や接着で使用してバイオタイルに蔦蔓を誘引繁茂させ、宿り木の役割を担わせて屋外の緑化環境創造材として利用する期間において、前記バイオタイルの経年劣化現象が発生したときは地上に落下することなく、メッシュフェンスに懸架した状態でバイオタイル劣化体全体が蔦類等の枯葉屑、気根屑等と夫々に絡み合って土塊瘤を形成してこびりついた前記バイオタイルの残渣微生物含有の土塊瘤を蔓茎から取り除き、土中に埋めて匍匐植物の育成を助ける役割を担わせて、環境に全く負荷を与えずに土中で自然に分解した土とさせ、土の肥料として利用できるようにしたことを特長とするバイオタイル有効利用方法である。
【発明の効果】
【００１４】請求項１に記載の発明は、植物由来のポリ乳酸原料をもとにしたバイオプラスチックで製造したペレットを、メッシュフェンス等に懸架して使用できるように所定の大きさのバイオタイルに形成させるため、射出成形機等で形成させた後、外部露出部表裏に水で練ったセメント及び砂等を適当量スプレーガンで吹付けて乾燥させることによって、外部露出部表裏が凹凸状の粗面になりメッシュフェンス等に懸架して使用したとき、蔦類の気根盤を吸着させて発根しやすくし、不可能であったフェンスへの誘引をレンガやブロック塀等への誘引匍匐状態と同様に繁茂させ、屋外の苛酷の条件下では常設使用できなかったバイオプラスチックを、緑化環境創造材として屋外で有効利用できるとともに、緑化光合成により、二酸化炭素吸収削減による温暖化抑制を図る利点を有している。【００１５】請求項２記載の発明は、バイオタイルの外柵物の瞬時緑化方法において、正面部に蔦類の植栽を行い、天端部に雨水や潅水ができるような開口部を設けた正方形の所定の大きさのプラスチック製のプランターを別設し、前記請求項１において使用のメッシュフェンスの背面に取付けて、前記誚求項１において使用のバイオタイルの表面および裏面部に蔦蔓を誘引吸着させて匍匐させる作業工程を屋内の育成農場で行い、屋外に設置された既存フェンス等に取付けることによって瞬時に外柵物の緑化が形成できることと、直植え不可能な場所での緑化環境創造が実現できる利点を有している。【００１６】請求項３記載の発明は、バイオタイルの脱落防止機能併設において、前記請求項１において射出成形するバイオタイルの懸架部を、いたずらや大風等で容易に脱落しないようにするために、バイオタイル着脱開口部の背面空洞部に突起させて脱落防止機能を施し、指でバイオタイル開閉挿入部を押えてメッシュフェンス横桟に懸架後、指を離せばバイオタイルがメッシュに固定できる利点を有している。【００１７】請求項４記載の発明は、バイオタイルの外壁面有効利用において、請求項１および３において形成懸架使用するバイオタイル裏面懸架部に接着剤やモルタル等を塗布して、蔦類が這い上りにくい滑面状の外装タイル壁面やコンクリート擁壁面等に接着させて使用することによって、イメージどうりに匍匐しにくかった蔦蔓の気根を吸着させて誘引繁茂させ、外壁面の緑化環境創造材として有効利用できる利点を有している。【００１８】請求項５記載の発明は、バイオタイルの経年劣化後の最終利用方法において、請求項１および４において形成及び懸架や接着で使用してバイオタイルに蔦蔓を誘引繁茂させ、宿り木の役割を担わせて屋外の緑化環境創造材として利用する期間において、前記バイオタイルの経年劣化現象が発生したときは地上に落下することなく、メッシュフェンスに懸架した状態でバイオタイル劣化体全体が蔦類等の枯葉屑、気根屑等と夫々に絡み合って土塊瘤を形成してこびりついたバイオタイルの残渣微生物含有の土塊瘤を蔓茎から取り除き、土中に埋めて匍匐植物の育成を助ける役割を担わせて、環境に全く負荷を与えずに土中で自然に分解した土とさせ、土の肥料として有効利用できる利点を有している。
【図面の簡単な説明】
【００１９】
【図１】本発明バイオタイル有効利用システムにおいて形成された蔦植物類誘引吸着と匍匐機能を有するバイオタイルをメッシュフェンスの横桟に懸架した状態を示す正面図である。
【００２０】
【図２】図１のバイオタイルの空胴部にスポンジを内包させてメッシュフェンス横桟に懸架した状態を示す縦断面図である。
【００２１】
【図３】図１のメッシュフェンス横桟に懸架させたバイオタイル表面露出部に蔦の気根が誘引吸着繁茂させ宿り木の役割を担わせた状態を示す斜視図である。
【００２２】
【図４】図３のバイオタイルが蔦を誘引繁茂期間中に経年劣化によって土塊瘤を形成させて行く状態を示す斜視図である。
【００２３】
【図５】本発明のバイオタイル原料が植物から生まれ、バイオタイルで緑を蘇らせた後再び植物を育てる肥料になる全貌を示す循環サイクルフロー図である。
【００２４】
【図６】本発明のバイオタイルが形成されるまでの工程と、前記バイオタイルが担う役割全体の利用方法をフローチャート化した図である。
【００２５】
【図７】メッシュフェンス５０×５０ミリドットに図１のバイオタイルを懸架して蔦のモザイク画を形成させながら蔦植物を這わせた正面図である。
【００２６】
【図８】同メッシュフェンスに同バイオタイルでレンガ模様を描いて蔦植物を這わせた正面図である。
【００２７】
【図９】メッシュフェンス５０×１００ミリドットを横位置に使用して同バイオタイルを懸架して蔦を模したモザイク画を描いた植物誘引前の状態を示す正面図である。
【００２８】
【図１０】同メッシュフェンスに同バイオタイルを懸架してレンガを模したモザイク画を描いた植物誘引前の状態を示す正面図である。
【００２９】
【図１１】図７で形成させたメッシュフェンスをベランダ等の手摺等に取付けて、蔦植物を這わせてベランダガーデニングに利用の状態を示す斜視図である。
【００３０】
【図１２】前記メッシュフェンスを屋外の外柵フェンスに利用し、蔦植物等を這わせて屋外の緑化環境を創造させた状態を示す斜視図である。
【００３１】
【図１３】メッシュフェンス５０×５０ミリドットを金属フレームで囲んだパネルを製作してパーティションに利用、室内と屋外の双方に使用できる状態を示す正面図である。
【００３２】
【図１４】図１のバイオタイルを外装タイル等の滑面部に接着剤等で接着して蔦類等を誘引させて、屋外の緑化環境の創造状態を示す斜視図である。
【発明を実施するための形態】
【００３３】本発明に使用するバイオタイルａは、植物由来の生分解性ポリ乳酸バイオプラスチックで射出成形等で形成させる。
【００３４】前記の生分解性バイオプラスチックのペレットｐの原料成分には、例えば、ポリ乳酸、ポリヒドロキシアルカノエート、ポリカプロラクトン、ポリグリコール酸、変性ポリビニルアルコール、変性澱粉、カゼイン等があるが、本発明にはポリ乳酸を使用する。
【００３５】そして、バイオタイルの完成色を選択し、着色顔料等を混合のうえ射出成形等で所定の形状のポリ乳酸生分解性のバイオタイルａを形成させる。
【００３６】つぎに、バイオタイルａの表面露出部１の加工について述べる。
【００３７】請求項１の発明は、蔦類ｇは吸盤のある巻きひげや気根ｆを伸ばして粗面状の被体に吸着して成長する性質があり、メッシュフェンス等の表面が滑面状の被体には吸着しない性質がある。
【００３８】そのため、射出成形等で形成したバイオタイルａの表面部１に、適当量の水で混練したセメント及び砂又はセラミックｓ等を適当量ガンで吹付けて乾燥させ凹凸状ｍの粗面加工することにより、蔦類ｇの気根ｆの吸着が容易になる。
【００３９】請求項２の発明は、屋内の育成農場でプランターをメッシュフェンスの背面に取付けて蔦類の植栽を行い、バイオタイルの表面および裏面部に蔦蔓を誘引吸着させて匍匐させることにある。
【００４０】さらに、プランター天端部に雨水や灌水ができるような開口部を設けることにより、保水効果を高めることができる。
【００４１】前記した作業工程を屋内の育成農場で行うことによって、屋外に設置された既存フェンス等に取付けることによって瞬時に外柵物の緑化が形成できる。
【００４２】つぎに、バイオタイルａの形状について詳細に述べる。
【００４３】請求項３の発明は、バイオタイルａをメッシュフェンスの横桟５に懸架するとき、開閉部ｂを指で内側に押し込むようにして横桟に引っかけ、指を離せば懸架部ｃに固定できるようにする。
【００４４】さらに、懸架後にいたずらや大風等で脱落しないように、バイオタイルａの内側に、ストッパー部ｄを設ける。
【００４５】そして、バイオタイルａをメッシュフェンス４の横桟５に懸架後において、下方に強く引っ張るとストッパー部ｄが作用して容易に脱落しなくなる機能がある。
【００４６】さらに、バイオタイルａの最下部底面に保水部７を設け、雨水や散水等を貯水できるようにする。
【００４７】請求項４記載の発明は、バイオタイルａをメッシュフェンス４に懸架して使用する他に、壁面６に、接着して使用することができる。
【００４８】壁面接着方法は、バイオタイルａの裏面部６の開閉部ｂに接着剤を塗布又は耐水性の両面テープを貼って壁面６に接着させる。
【００４９】コンクリート擁壁面には据付けモルタルで接着することが可能である。
【００５０】また、図１４で示すように、外装タイル１３等の滑面状の壁面６に接着させる場合は、接着剤を直かに塗布して接着するが、タイル面を汚したくない場合は、のり付きの屋外用マーキングフィルム（カッティングシート）をバイオタイルａの大きさにカットして貼り、その表面にバイオタイルａを接着させることができる。
【００５１】そして、マーキングフィルムの剥がし後の汚れは市販の除去剤でとり除くことができる。
【００５２】また、壁面部６への接着のコツは、バイオタイルａをいきなり接着せず、余めレイアウト画を作成しておき壁面６に目印を付けて行うようにする。
【００５３】さらに、屋外の木製壁面に接着させる場合は、透明ビニールシートをホッチキスで固定しておき、シートの表面にバイオタイルａを接着させて使用し、匍匐植物を撤去するときはシートごと引っ張ると木製壁面に傷をつけずに取り除くことができる。
【００５４】また、前記した方法は屋外に限らず室内の壁面に使用することができるので、ＬＥＤ照光１７によって室内のグリーンインテリアが楽しめる。
【００５５】つぎに、バイオタイルａの劣化と劣化後の機能について説明する。
【００５６】請求項５記載の発明は、前記したバイオプラスチックａを屋外の過酷の条件下で使用したとき、劣化に至る期間は概ね数ヶ月から数年かかる。
【００５７】劣化する形態はさまざまで、加工方法や使用場所等によってひび割れや収縮等に形状を変化させることが実証されているが、土中８に埋めない限り全ての原形は失われない。
【００５８】そして、土中８に埋めた場合でも、原形を失って分解されるまでの期間は概ね２年から５年が必要であると云われている。
【００５９】しかし、本発明は劣化することを欠点とするのではなく利点として捉らえ、劣化によって生じる収縮作用やひび割れにより土塊瘤ｒを形成させる目的があるために、敢えてメッシュフェンス４等に懸架して、屋外の苛酷の条件下で使用することにしている。
【００６０】しかるに、その作用は図３で示すように、蔦類ｇの蔓ｊ誘引繁茂後に役割を果たしたバイオタイルａは、落下せずにメッシュフェンス４等に懸架した状態で劣化し、劣化後においてさらに伸長してきた気根ｆを吸着させる働きがある。
【００６１】そして、この作用は図１４の外装タイル１３やコンクリート擁壁等の壁面部６使用でも同様の成果を得られる。
【００６２】さらに、最終的な役割を終えた劣化土塊瘤ｒを指でつまんで土中８に埋めれば、残渣微生物の作用で植物の肥料の役割を担いながらやがて水と二酸化炭素９に分解されて本発明利用方法の目的が達成できる。
【００６３】つぎに、蔦類ｇ等の植栽実施形態について述べる。
【００６４】本発明に実施する蔦類ｇの苗は、鉢植えや直植えで使用するが、茎が柔かいため、茎が伸びるまで柔かいひもで軽くメッシュフェンス４や支柱に結束しておき、バイオタイルａに巻きひげや気根ｆが吸着しやすくする状況をつくる必要がある。
【００６５】そして、直植えの場合は用土を選ばないが、鉢植えの場合は市販の園芸用土を使用する。
【００６６】そして、直植えはよく砕土して堆肥や鶏糞をすきこみ植え付け後は十分にかん水をする。
【００６７】管理と手入れは、伸びすぎた蔓ｊを剪定する程度でよい。
【００６８】施肥は、ときどき鶏糞や化成肥料を根元にバラまく程度でよいが、蔦類ｇは窒素肥料は禁物で、落葉種の場合は秋の紅葉が鮮かにならない欠点がある。
【００６９】病害虫は、６〜７月にスズメガの幼虫が発生することがあるので、マラソン乳液等を塗布して駆除する必要がある。
【００７０】そして、殖やし方は萌芽する前の３月上旬〜４月中旬に人差し指の太さ程度の蔓ｊを１５センチくらい剪定し、さし床をつくって発根させるか、バイオタイルａの劣化後形成される土塊瘤ｒの発根ごと切り取って鉢植えを行う。
【００７１】つぎに、バイオタイルに吸着させて使用する木本類等の蔓性植物ｊについて説明する。
【００７２】蔓性植物ｊには、通常的に使用の落葉性のナツヅタを始めとし、葉に黄斑のあるキフナツタがある。
【００７３】さらに、常緑性で別名イングリッシュアイビーといわれるセイヨウキヅタ、フクリンキヅタ、アメリカヅタ、フユヅタ、キヅタなど、ヨーロッパやアメリカ、北アフリカ、西アジア原産の斑入りや葉形の変化した品種など数多くある。
【００７４】また、蔦ｇ以外の常緑の蔓性植物ｊには、ヘデラ類、イタビカズラ、ツルマサキ、テイカカズラがあり、落葉性にはツルアジサイ、ノウゼンカズラなどがある。
【００７５】さらに、巻き蔓性ｊには常緑性のジャスミン、サネカズラ、スイガズラ、ツキヌキニンドウ、ツルニチニチソウ、ムベなどがあり、落葉性にはアケビ、クズ、クレマチス、ツルウメモドキ、ツルバラ、フジなどあるが気根の吸着しないものは横桟等に巻き付ける。
【００７６】従って、バイオタイルａにより緑化を創造させる手段を、花で楽しむのか、緑の葉を匍匐させて楽しむのか、紅葉を楽しむのかなどを選択することができる。
【産業上の利用の可能性】
【００７７】本発明のバイオタイル有効利用システムは、フェンス産業、エクステリア産業、園芸、造園等のガーデン産業、ホームセンター等のＤＩＹ産業上の利用の可能性があり、夫々の可能性について以下のとおり説明する。
【００７８】まず、メッシュフェンス等の製造販売業のフェンス産業上の利用の可能性を考察すると、フェンスは安全、防衛、防犯等のセキュリティーの目的に利用している。
【００７９】そのため、セキュリティーへの課題は解決することができても、景観面から捉えると無味乾燥として面白味や味わいのない画一的な景観に変貌させている。
【００８０】さらに、素材の耐久性を重視してステンレスを用いるケースでは高価になることや、厳めしさをさらに増幅させる結果になっている。
【００８１】しかし、メッシュフェンスを利用するバイオタイル有効利用システムは、セキュリティーの役割を担いながら緑を匍匐させて緑化環境を創造させる一石二鳥の効果が叶えられるため、緑化型フェンスとしての評価によってパブリックの需要を大幅に増大させることができる。
【００８２】つぎに、エクステリア産業上の利用の可能性を考察すると、エクステリアは外構、外柵の総称といわれるように、コンクリートブロックやフェンスを多用して外まわりを囲う習性を定着させた産業であるともいわれる。
【００８３】したがって、居住エリアはまたたく間にブロック塀や画一的なフェンスで囲われ、閉鎖的な住環境に変貌してしまった。
【００８４】また、地震によるブロック塀の倒壊事故が多発し、生命の安全を脅かす要因にもなっている。
【００８５】さらに、非天然素材製品の乱用や、色彩の多用等によって緑が喪失されてけばけばしさを増し、景観阻害の大きな要因となっている。
【００８６】一方、園芸、造園等のガーデン産業上の利用も、ランドスケープ創造を担う役割がありながらエクステリア産業と同様に従来どおりの庭づくりに固執する傾向が強く、緑化に関する差別化した対応がされないままになっている。
【００８７】また、自治体において生け垣緑化を推進しているが、ガーデン産業との連携が不十分のケースが多く、達成されないままになっている。
【００８８】しかし、前記した両産業が発想を転換させて本発明のバイオタイル有効利用システムを一体となって取り組むことにより、閉鎖的な居住環境がまたたく間に開放的に蘇生され、緑を重視したアメニティーな緑化環境の実現に伴って低迷している産業に活力を与える契機になるはずである。
【００８９】他方、ＤＩＹ産業上の利用も、本発明のバイオタイル有効利用システムをガーデニング等にとり入れることによってマイホームの緑化を手づくりで実現させることが可能になる。
【００９０】そして、ＤＩＹｅｒが本発明製品の懸け橋の役割を担って、居住環境の緑化創造を実現させることができる。
【００９１】また、上記産業界等によって本発明のバイオタイルの需要喚起により、従来、屋外製品では未利用であったバイオプラスチックの新しい用途が拡大できるため、生分解性乳酸バイオプラスチック製品の開発産業界への福音をもたらすことができる。
【符号の説明】
【００９２】  ａ    バイオタイル
ｂ    開閉部
ｃ    懸架部
ｄ    ストッパー
ｅ    スポンジ
ｆ    気根
ｇ    鳥
ｈ    植栽
ｊ    蔓
ｋ    金型
ｍ    凹凸状
ｐ    ペレット
ｒ    劣化土塊瘤
ｓ    セメント及び砂吹付け
１    表面部
２    裏面部
３    空胴部
４    メッシュフェンス
５    横桟
６    壁面部
７    保水部
８    土中
９    最終物質
１０    手摺
１１    外柵フェンス
１２    コンクリートブロック
１３    外装タイル
１４    メッシュフェンスパネル
１５    パーティション
１６    支柱
１７    ＬＥＤ照明
１８    植木鉢
１９    ガーディニング用品
２０    ハンギングプランター
【図１】
0006092691.tif 000002
【図２】
0006092691.tif 000003
【図３】
0006092691.tif 000004
【図４】
0006092691.tif 000005
【図５】
0006092691.tif 000006
【図６】
0006092691.tif 000007
【図７】
0006092691.tif 000008
【図８】
0006092691.tif 000009
【図９】
0006092691.tif 000010
【図１０】
0006092691.tif 000011
【図１１】
0006092691.tif 000012
【図１２】
0006092691.tif 000013
【図１３】
0006092691.tif 000014
【図１４】
0006092691.tif 000015